(57)【要約】      （修正有）【課題】特に電子機器の周辺グッズを収納できるケースを提供する。【解決手段】本電子機器の周辺グッズを収納できるケースは、ベース１０と、第一ケース２０と、第二ケース３０とを有し、その内、該ベースは、結合面の両側に形成される２つの第一結合部と、連接ソケットと、自動車用充電器或いは急速充電器を収納するための収納孔と、回転により収納可能な電源プラグと、該電源プラグ及び連接ソケットに電気接続される変圧モジュールとを備え、該第一ケースは、該第一結合部と組み合わされる第二結合部を介して脱着可能にベースに装着され、配線部材を収納し、該第二ケースには、該第一結合部と組み合わされる第二結合部を介して脱着可能にベースに装着され、イヤホンを収納すると共に、該ベースの電源プラグを電源コンセントに差し込めば、電子機器を充電することができ、電子機器の周辺グッズをそれぞれ収納することもできる。【選択図】図２
0003173679.tif 000002
【実用新案登録請求の範囲】
【請求項１】
一側面に形成される結合面と、該結合面の両側に形成される２つの第一結合部と、外側面に形成される連接ソケットと、外側面に形成される収納孔と、回転により収納可能に設置される電源プラグと、内部に設置される変圧モジュールとを備えると共に、該電源プラグが連接ソケット及び変圧モジュールに電気接続されるベースと、
内部に形成される第一収容空間と、一側面に該第一収容空間と連通するように形成される第一開口と、該第一開口の両側に形成されると共に、脱着可能に前記ベースの第一結合部と組み合わされる２つの第二結合部とを備えると共に、該第一開口が前記結合面に面するように前記結合面をカバーする第一ケースと、
内部に形成される第二収容空間と、一側面に該第二収容空間と連通するように形成される第二開口と、該第二開口の両側に形成されると共に、脱着可能に前記ベースの第一結合部に組み合わされる２つの第二結合部とを備えると共に、前記第一ケースと隣接し、且つ該第二開口が前記結合面と面するように該結合面をカバーする第二ケースと、を有することを特徴とする電子機器の周辺グッズの収納ケース。
【請求項２】
前記収納孔に脱着可能な自動車用充電器を有し、該自動車用充電器は、内部に設置される変圧モジュールと、一端に形成されるプラグヘッドと、他端に設置される連結ソケットとを備えると共に、該変圧モジュールがプラグヘッド及び連結ソケットと電気接続することを特徴とする請求項１に記載の電子機器の周辺グッズの収納ケース。
【請求項３】
前記収納孔に脱着可能に急速充電器が設置され、また、該収納孔の内端面に、前記ベース内の変圧モジュールに電気接続される少なくとも１つの電力伝導ユニットが設置され、
前記急速充電器の内部にリチウム（Ｌｉ-Ｐｏｌｙｍｅｒ）電池が設置され、一端に少なくとも１つの電源端子が設けられると共に、他端に連結ソケットが設置され、更に、該電源端子、リチウム電池、連結ソケットは互いに電気接続されると共に、該電源端子が前記収納孔の電力伝導ユニットと接触するように電気接続することを特徴とする請求項１に記載の電子機器の周辺グッズの収納ケース。
【請求項４】
前記２つの第一結合部１１は共にレールであり、それらの長手方向は互いに平行し合い、前記結合面の一側のレールは連続して形成され、他側のレールは間隔をおいて形成され、
前記第二結合部は、前記第一結合部のレールと対応するように組み合わされる溝部であることを特徴とする請求項１乃至３の何れか１項に記載の電子機器の周辺グッズの収納ケース。
【請求項５】
前記結合面側の外側面にプラグ凹部が形成され、該プラグ凹部の両側壁にそれぞれ対応するように軸孔が凹設され、
前記電源プラグは、回転部と、該回転部に間隔をおいて平行に設置されると共に、該回転部の回転によって前記プラグ凹部の内部に収容され、或いはプラグ凹部から外側に向かって突出するように位置する２つの金属端子と、該回転部の対向する外壁面にそれぞれ凸設されると共に、回転可能に前記軸孔に係合される２つの回転軸と、を備えることを特徴とする請求項４に記載の電子機器の周辺グッズの収納ケース。
【請求項６】
前記第一収容空間の内部に巻き取り部が設置され、該巻き取り部は、矩形のブロックであり、上下面にそれぞれ複数の位置決めプレートが突設され、その内の１つの側面に位置決め凹部が凹設されることを特徴とする請求項５に記載の電子機器の周辺グッズの収納ケース。
【請求項７】
前記第二収容空間の内部に巻き取り部が設置され、該巻き取り部は、第二収容空間の内部底面に間隔をおいて凸設される複数の凸柱を有し、該各凸柱の端部に外側に向かって位置決めプレートが設けられることを特徴とする請求項６に記載の電子機器の周辺グッズの収納ケース。
【考案の詳細な説明】
【技術分野】
【０００１】
本考案は、収納ケースに関し、特に電子機器の様々な周辺グッズを収納できるケースに関するものである。
【背景技術】
【０００２】
近年の電子技術の発展に伴い、スマートホンや、ＰＤＡ（Ｐｅｒｓｏｎａｌ  Ｄｉｇｉｔａｌ  Ａｓｓｉｓｔａｎｔ）、パネルパソコンなどの電子機器が徐々に普及してきており、それら電子機器は多機能であるので、使用上、利便性が高く、例えば、イヤホンと接続して音楽を聴いたり、電話として使用したり、或いは、パソコンと接続してデータの送信などを行うことができる。しかし、電子機器の使用頻度が高まれば高まる程、様々な機能を利用するために、イヤホンや、配線、急速充電器などの電子機器の周辺グッズを使用するようになり、例えば、バッテリーに所定の電力を充電する時は、急速充電器を接続して充電を行う。
【０００３】
また、電子機器の周辺グッズを持ち運ぶ時は、カバンのポケットに収納することが多いが、そのイヤホンのケーブルや配線などは絡まることが多く、使用する前に解く必要があるので、非常に面倒である。また、それらのケーブルや配線をカバンから取る時には、カバン中の物とぶつかり、ケーブルや配線を壊したり、それらの使用寿命を縮めてしまうことがよくある。さらに、体積が小さい充電器や汽車用充電器などの周辺グッズは、カバンの底部に位置しやすいことから、カバンから取り難くなるので、収納上又は使用上、とても不便であった。
【考案の概要】
【考案が解決しようとする課題】
【０００４】
既存の電子装置の周辺グッズ（例えば、イヤホンや配線など）を収納する時、イヤホンのケーブルや配線などが絡まって破損する恐れがあることから、使用寿命が減少してしまうので、使用上、非常に不便である。
【課題を解決するための手段】
【０００５】
本考案に係る電子機器の周辺グッズの収納ケースは、一側面に形成される結合面と、該結合面の両側に形成される２つの第一結合部と、外側面に形成される連接ソケットと、外側面に形成される収納孔と、回転により収納可能に設置される電源プラグと、内部に設置される変圧モジュールとを備えると共に、該電源プラグが連接ソケット及び変圧モジュールに電気接続されるベースと、
内部に形成される第一収容空間と、一側面に該第一収容空間と連通するように形成される第一開口と、該第一開口の両側に形成されると共に、脱着可能に前記ベースの第一結合部と組み合わされる２つの第二結合部とを備えると共に、該第一開口が前記結合面に面するように前記結合面をカバーする第一ケースと、
内部に形成される第二収容空間と、一側面に該第二収容空間と連通するように形成される第二開口と、該第二開口の両側に形成されると共に、脱着可能に前記ベースの第一結合部に組み合わされる２つの第二結合部とを備えると共に、前記第一ケースと隣接し、且つ該第二開口が前記結合面と面するように該結合面をカバーする第二ケースと、を有する。
【０００６】
前記収納孔に脱着可能な自動車用充電器を有し、該自動車用充電器は、内部に設置される変圧モジュールと、一端に形成されるプラグヘッドと、他端に設置される連結ソケットとを備えると共に、該変圧モジュールがプラグヘッド及び連結ソケットと電気接続することが好ましい。
【０００７】
前記収納孔に脱着可能に急速充電器が設置され、また、該収納孔の内端面に、前記ベース内の変圧モジュールに電気接続される少なくとも１つの電力伝導ユニットが設置され、
前記急速充電器の内部にリチウム（Ｌｉ-Ｐｏｌｙｍｅｒ）電池が設置され、一端に少なくとも１つの電源端子が設けられると共に、他端に連結ソケットが設置され、更に、該電源端子、リチウム電池、連結ソケットは互いに電気接続されると共に、該電源端子が前記収納孔の電力伝導ユニットと接触するように電気接続することが好ましい。
【０００８】
前記２つの第一結合部１１は共にレールであり、それらの長手方向は互いに平行し合い、前記結合面の一側のレールは連続して形成され、他側のレールは間隔をおいて形成され、
前記第二結合部は、前記第一結合部のレールと対応するように組み合わされる溝部であっても構わない。
【０００９】
前記結合面側の外側面にプラグ凹部が形成され、該プラグ凹部の両側壁にそれぞれ対応するように軸孔が凹設され、
前記電源プラグは、回転部と、該回転部に間隔をおいて平行に設置されると共に、該回転部の回転によって前記プラグ凹部の内部に収容され、或いはプラグ凹部から外側に向かって突出するように位置する２つの金属端子と、該回転部の対向する外壁面にそれぞれ凸設されると共に、回転可能に前記軸孔に係合される２つの回転軸と、を備えることが好ましい。
【００１０】
前記第一収容空間の内部に巻き取り部が設置され、該巻き取り部は、矩形のブロックであり、上下面にそれぞれ複数の位置決めプレートが突設され、その内の１つの側面に位置決め凹部が凹設されることが好ましい。
【００１１】
前記第二収容空間の内部に巻き取り部が設置され、該巻き取り部は、第二収容空間の内部底面に間隔をおいて凸設される複数の凸柱を有し、該各凸柱の端部に外側に向かって位置決めプレートが設けられることが好ましい。
【考案の効果】
【００１２】
本考案に係る電子機器の周辺グッズの収納ケースは上記の如く、自動車用充電器或いは急速充電器を収納可能なベースを備えると共に、該ベースの電源プラグを電源コンセントに差し込んで電気接続し、更に電子機器のプラグを収納ケースのソケットに差し込んで電気接続させれば、充電器として使用することができる。また、そのベースに脱着可能に装着された第一ケース及び第二ケースにはそれぞれ巻き取り部が設けられることから、イヤホン及び配線が絡まないように巻き付けて収納することができることから、破損を防止でき、イヤホンや配線の使用寿命を延ばすことができ、尚且つ取り外しも簡単であるので、使用上、非常に便利である。なお、本考案に係る収納ケースは、不便にならない程度の所定の体積を有することから、カバンやポケットに入れても簡単に探し出すことができる。
【００１３】
さらに、本考案に係る電子機器の周辺グッズの収納ケースは、ベースに急速充電器が設置されていることから、ユーザーが外出した時、電源コンセントがなくても急速充電器のリチウム電池に所定の電力が蓄えられているので、電子機器を内蔵式連結ヘッド又は連結式電源コネクタ部材を介して急速充電器の連結ソケットに電気接続すれば、電子機器を充電することができる。
【図面の簡単な説明】
【００１４】
【図１】本考案に係る電子機器の周辺グッズの収納ケースの斜視図である。
【図２】本考案に係る電子機器の周辺グッズの収納ケースの部分分解斜視図である。
【図３】本考案に係る電子機器の周辺グッズの収納ケースにおけるベースの側面断面図である。
【図４】本考案に係る電子機器の周辺グッズの収納ケースにおける第一ケース及び第二ケースの側面断面図である。
【図５】本考案に係る電子機器の周辺グッズの収納ケースの他の実施例におけるベースの部分側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図３に示すように、本考案に係る電子機器の周辺グッズの収納ケースは、ベース１０と、第一ケース２０と、第二ケース３０とを有し、その内、該ベース１０は、矩形のケース体であり、一側面に結合面１００が形成され、それぞれの長手方向が互いに平行し合うように、該結合面１００の一側に連続に形成されると共に、他側に間隔をおいて形成されるレールである第一結合部１１と、該結合面１００と隣接する外側面に形成される連接ソケット１２と、該結合面１００と隣接する外側面に形成される細長矩形の収納孔１３と、脱着可能に該収納孔１３に設置される自動車用充電器１４と、該結合面１００側の第一結合部１１を有しない部分の外側面に形成されるプラグ凹部１５と、該プラグ凹部１５に設置される電源プラグ１６と、内部に設置される変圧モジュールとを備える。
【００１７】
また、前記連接ソケット１２は、既存の技術である電子機器における内蔵式連結ヘッド又は連結式電源コネクタ部材と電気接続でき、また、前記自動車用充電器１４の一端に自動車用シガーソケットに接続可能なプラグヘッド１４０が設けられると共に、他端に既存の電気機器と接続可能な連結ソケット１４１が設置され、該プラグヘッド１４０と連結ソケット１４１とに電気接続するように、内部に変圧モジュールが設置され、更に、前記プラグ凹部１５の両側壁にそれぞれ対応するように軸孔１５０が凹設される。
【００１８】
前記電源プラグ１６は、回転部１６０と、前記ベース１０内の変圧モジュール及び連接ソケット１２と電気接続するように、該回転部１６０に間隔をおいて平行に設置されると共に、該回転部１６０の回転によってプラグ凹部１５の内部に収容され、或いはプラグ凹部１５から外側に向かって突出するように位置する２つの金属端子１６１と、該回転部１６０の対向する外壁面にそれぞれ凸設されると共に、回転可能に前記軸孔１５０に係合される２つの回転軸１６２とを備える。尚、本実施例における連接ソケット１２及び連結ソケット１４１は、既存の技術のＵＳＢ（Ｕｎｉｖｅｒｓａｌ  Ｓｅｒｉａｌ  Ｂｕｓ）ソケットである。
【００１９】
図２及び図４に示すように、本実施例における第一ケース２０は、中空の矩形体であり、内部に形成される第一収容空間２１と、一側面に該第一収容空間２１と連通するように形成される第一開口２００と、該第一開口２００の両側に形成されると共に、脱着可能に前記ベース１０の第一結合部１１と組み合わされる２つの第二結合部２２と、該第一収容空間２１の内部に設置される巻き取り部２３とを備え、該第一ケース２０は、第一開口２００が結合面１００と面するように、溝部である第二結合部２２を介して第一結合部１１のレールに対応するように組み合わされることによって、第一ケース２０が結合面１００をカバーするように脱着可能にベース１０の裏側に装着される。
【００２０】
また、前記巻き取り部２３は、矩形のブロックであり、上下面にそれぞれ複数の位置決めプレート２３０が突設され、その内の１つの側面に位置決め凹部２３１が凹設され、また、既存の技術である電子装置における配線部材４０のコード４００は、巻き取り部２３の上下面の位置決めプレート２３０との間に位置するように巻回されると共に、配線部材４０のコネクタヘッド４０１は、巻き取り部２３の位置決め凹部２３１に収納される。
【００２１】
前記第二ケース３０は、中空の矩形体であり、内部に形成される第二収容空間３１と、一側面に該第二収容空間３１と連通するように形成される第二開口３００と、該第二開口３００の両側に形成されると共に、脱着可能に前記ベース１０の第一結合部１１に組み合わされる２つの第二結合部３２と、該第二収容空間３１の内部に設置される巻き取り部３３とを備え、該第二ケース３０は、第二開口３００が結合面１００と面するように、溝部である第二結合部３２を介して第一結合部１１のレールに対応するように組み合わされることによって、第二ケース３０が第一ケース２０と隣接すると共に、結合面１００をカバーするように脱着可能にベース１０の裏側に装着される。
【００２２】
また、前記巻き取り部３３は、第二収容空間３１の内部底面に間隔をおいて凸設される複数の凸柱３３０を有し、該各凸柱３３０の端部に外側に向かって位置決めプレート３３１が延設され、それら凸柱３３０の外側面に既存の技術のイアホン４１のコード４１０が巻回され、この時、コード４１０は、第二収容空間３１の内側と位置決めプレート３３１との間に位置するように巻き取り部３３に収納される。
【００２３】
本考案における電子機器の周辺グッズの収納ケースを用いて電子機器を充電する時は、先ず、その電子機器を、内蔵式連結ヘッド或いは連結式電源コネクタ部材を介して連接ソケット１２と接続し、第一ケース２０をベース１０から取り外し、電源プラグ１６を回転させてベース１０から露出させて電源コンセントに接続すれば、電子機器を充電することができる。また、自動車において電子機器を充電する場合は、先ず、収納孔１３から自動車用充電器１４を取り出し、プラグヘッド１４０を自動車の電源ソケット（例えば、シガーソケット）に接続し、電子機器を内蔵式連結ヘッド或いは連結式電源コネクタ部材を介して連結ソケット１４１に接続すれば電子機器を充電することができる。
【００２４】
本考案に係る電子機器の周辺グッズの収納ケースには、巻き取り部２３及び巻き取り部３３を備えることから、配線部材４０を巻き取り部２３に、イヤホン４１を巻き取り部３３にそれぞれ絡まないように収容することができる。
【００２５】
図５に示すように、本考案に係る他の実施例は、その殆どが前記実施例と同一であるが、ベース１０Ａの収納孔１３Ａに脱着可能に急速充電器１７Ａが設置され、その収納孔１３Ａの内底面に少なくとも１つの電力伝導ユニット１３０Ａが設置され、その電力伝導ユニット１３０Ａが該ベース１０Ａ内の変圧モジュールに電気接続されることによって、金属端子１６１Ａに電気接続される点において異なる。尚、この実施例においては、収納孔１３Ａの内底面に２つの電力伝導ユニット１３０Ａが間隔おいて設置されると共に、該電力伝導ユニット１３０Ａが金属弾性プレートであることが好ましい。
【００２６】
前記急速充電器１７Ａは、内部にリチウム（Ｌｉ-Ｐｏｌｙｍｅｒ）電池が設置され（図示せず）、一端に少なくとも１つの電源端子１７０Ａが設けられると共に、他端に連結ソケット１７１Ａが設置され、更に、その電源端子１７０Ａ、リチウム電池、連結ソケット１７１Ａが互いに電気接続されると共に、該電源端子１７０Ａが収納孔１３Ａの電力伝導ユニット１３０Ａと対応している。尚、本実施例における急速充電器１７Ａの２つの電源端子１７０Ａは、間隔をおいて、該急速充電器１７Ａの外側面に凹設される金属片であり、該連結ソケット１７１Ａは、既存の技術であるＵＳＢであることが好ましい。また、前記急速充電器１７Ａは、電源端子１７０Ａを介して電力伝導ユニット１３０Ａとの接触で電気接続できるように、収納孔１３Ａ内に設置されている。
【００２７】
リチウム電池を充電する場合は、先ず、金属端子１６１Ａを電源コンセントに差し込めば、変圧モジュールによって電力をリチウム電池に蓄えることができる。また、ユーザーが外出した時にリチウム電池を使用する場合は、電子機器の内蔵式連結ヘッド或いは連結式コネクタ部材を介して、電子機器と連結ソケット１７１Ａとを電気接続すれば、リチウム電池に蓄えられている電力を該連結ソケット１７１Ａを介して電子機器に供給し充電することができる。
【産業上の利用可能性】
【００２８】
上述したように、本考案に係る電子機器の周辺グッズの収納ケースにおいて、自動車用充電器或いは急速充電器をベースに収容すると共に、ベースから脱着可能な第一ケース及び第二ケースにはそれぞれ、イヤホン及び配線部材を収容することができることから、それらイヤホン及び配線部材を絡まらないように収納可能で、それら電子機器の周辺グッズのを壊さないように使用寿命を延ばさせ、使用上にも非常に便利である。さらに、本考案に係る収納ケースは、ベースの電源プラグを電源コンセントに差し込んで電気接続すれば、この収納ケースを充電器として使用されてよい。なお、本考案にかかる収納ケースは、相当の体積を有することから、カバンやポケットに入れても簡単に探し出すことができる。
【符号の説明】
【００２９】
１０、１０Ａ ベース
１００  結合面
１１   第一結合部
１２   連接ソケット
１３、１３Ａ 収納孔
１３０Ａ  電力伝導ユニット
１４   自動車用充電器
１４０  プラグヘッド
１４１  連結ソケット
１５   プラグ凹部
１５０  軸孔
１６   電源プラグ
１６０  回転部
１６１、１６１Ａ 金属端子
１６２  回転軸
１７Ａ  急速充電器
１７０Ａ  電源端子
１７１Ａ  連結ソケット
２０   第一ケース
２００  第一開口
２１   第一収容空間
２２   第二結合部
２３   巻き取り部
２３０  位置決めプレート
２３１  位置決め凹部
３０   第二ケース
３００  第二開口
３１   第二収容空間
３２   第二結合部
３３   巻き取り部
３３０  凸柱
３３１  位置決めプレート
４０   配線部材
４００  コード
４１   イヤホン
【図１】
0003173679.tif 000003
【図２】
0003173679.tif 000004
【図３】
0003173679.tif 000005
【図４】
0003173679.tif 000006
【図５】
0003173679.tif 000007